(57)【特許請求の範囲】
【請求項１】
各端末（Ｔ１〜Ｔｎ）の使用するプロトコルに適合するように必要なプロトコル変換をするためのプロトコル制御処理（ＰＣ１〜ＰＣｎ）をし、
定常的に発生する固定的イベントによる前記端末からのデータを一時的にプールするための固定的データ・プール処理（１４）をし、
随時発生するイベントに対応する前記端末からのデータを一時的にプールするためのイベント対応データ・プール処理（１６）をし、
前記固定的データ・プール処理（１４）において必要な固定的動作条件と、前記イベント対応データ・プール処理（１６）において必要なイベント対応動作条件とを記憶するためのメモリ処理（１３）をし、
前記メモリ処理（１３）における固定的動作条件にもとづいて前記固定的データ・プール処理（１４）をするように制御するためのイベント制御処理（１２）をし、
前記メモリ処理（１３）におけるイベント対応動作条件にもとづいて前記イベント対応データ・プール処理（１６）をするように制御し、前記イベント対応動作条件を随時印加されて（２０）前記メモリ処理（１３）における前記イベント対応動作条件とするようにインタフェースするためのイベント制御インタフェース処理（１５）をし、
イベントに対応するように所定の応用制御をして前記各端末を交換するための応用交換制御処理（１９）をし、
前記プロトコル制御処理（ＰＣ１〜ＰＣｎ）を介して前記各端末からの着信ダイヤルにもとづいて、前記各端末を必要に応じて前記固定的データ・プール処理（１４）をし、前記イベント対応データ・プール処理（１６）をし、前記応用交換制御処理（１９）をして必要なデータ分配交換をするように制御するための交換制御処理（１１）をする
データ分配可能な情報交換方法。
【請求項２】
前記メモリ処理（１３）において、
前記固定的動作条件は予め設定した動作手順を書き込むことによって設定される（２５）
請求項１のデータ分配可能な情報交換方法。
【請求項３】
前記メモリ処理（１３）において、
前記イベント対応動作条件は随時発生するイベントに対応して動作手順を書き込むことによって設定される（２０）
請求項１のデータ分配可能な情報交換方法。
【請求項４】
前記メモリ処理（１３）において、
前記固定的動作条件は固定的メモリ領域に書き込み、前記イベント対応動作条件はイベント対応領域に書き込むようにした
請求項１のデータ分配可能な情報交換方法。
【請求項５】
各端末（Ｔ１〜Ｔｎ）の使用するプロトコルに適合するように必要なプロトコル変換をするためのプロトコル制御手段（ＰＣ１〜ＰＣｎ）と、
定常的に発生する固定的イベントによる前記端末からのデータを一時的にプールするための固定的データ・プール手段（１４）と、
随時発生するイベントに対応する前記端末からのデータを一時的にプールするためのイベント対応データ・プール手段（１６）と、
前記固定的データ・プール手段（１４）において必要な固定的動作条件と、前記イベント対応データ・プール手段（１６）において必要なイベント対応動作条件とを記憶するためのメモリ手段（１３）と、
前記メモリ手段（１３）における固定的動作条件にもとづいて前記固定的データ・プール手段（１４）を制御するためのイベント制御手段（１２）と、
前記メモリ手段（１３）におけるイベント対応動作条件にもとづいて前記イベント対応データ・プール手段（１６）を制御し、前記イベント対応動作条件を随時印加されて（２０）前記メモリ手段（１３）における前記イベント対応動作条件とするようにインタフェースするためのイベント制御インタフェース手段（１５）と、
イベントに対応するように所定の応用制御をして前記各端末を交換するための応用交換制御手段（１９）と、
前記プロトコル制御手段（ＰＣ１〜ＰＣｎ）を介して前記各端末からの着信ダイヤルにもとづいて、前記各端末を必要に応じて前記固定的データ・プール手段（１４）と、前記イベント対応データ・プール手段（１６）と、前記応用交換制御手段（１９）とを含めて必要なデータ分配交換をするように制御するための交換制御手段（１１）とを含む
データ分配可能な情報交換装置。
【請求項６】
前記メモリ手段（１３）において、
前記固定的動作条件は予め設定した動作手順を書き込むことによって設定される（２５）
請求項５のデータ分配可能な情報交換装置。
【請求項７】
前記メモリ手段（１３）において、
前記イベント対応動作条件は随時発生するイベントに対応して動作手順を書き込むことによって設定される（２０）
請求項５のデータ分配可能な情報交換装置。
【請求項８】
前記メモリ手段（１３）が、
前記固定的動作条件を書き込むための固定的メモリ領域と、前記イベント対応動作条件を書き込むためのイベント対応領域とを含んでいる
請求項５のデータ分配可能な情報交換装置。
【発明の詳細な説明】
【０００１】
【産業上の利用分野】
本発明はデータ分配可能な情報交換方法と装置に関する。具体的には、様々な目的や用途に応じて簡単にプロトコル（通信規約）を変換しデータを分配し得る新規な情報交換方法と装置を提供せんとするものである。
【０００２】
【従来の技術】
情報交換装置、すなわち、電話通信、パソコン通信、データ通信などの情報を交換する、いわゆる交換機において、その通信における各種の呼設定手順やデータ伝送手順はプロトコルに従ったフレーム構成でなされる。情報交換装置は、異なるプロトコルを使用している端末間のプロトコルを変換して通信動作をする。
【０００３】
図１０には従来のマルチプロトコル・ルータと呼ばれる累種プロトコル端末間の通信を可能とする情報交換装置の回路構成が示されている。情報交換機１０Ｂには、多くの局線あるいは構内伝送路である伝送路Ｌ１〜Ｌｎを交換するための交換制御部１１Ｂと、各端末Ｔ１〜Ｔｎのプロトコルを伝送路Ｌ１〜Ｌｎを介して各端末に適合したプロトコルとなるように変換し制御するプロトコル制御部ＰＣ１〜ＰＣｎを含んでいる。交換制御部１１Ｂは、プロトコル（通信規約）の異なる端末たとえばＴ１からの伝送路Ｌ１を介しての着信あるいは他の端末たとえばＴ２から伝送路Ｌ２を介してＴ１への着信があったとき、端末Ｔ１のプロトコルの動作仕様に基づき伝送路Ｌ１に対する、またはＬ１からの通信手順を他の端末たとえばＴ２と交信できるように構築する。
【０００４】
交換制御部１１Ｂは、たとえば伝送路Ｌ１から着信があったとき、伝送路Ｌ１の端末Ｔ１のプロトコルを制御してプロトコル制御部ＰＣ１において、たとえば端末２との間で交信できるようにプロトコル変換をする。これによって端末１と２の間の交信が可能となる。
【０００５】
多くの通信用の端末が存在するから、それらの端末のプロトコルは必ずしも統一されてはおらず、異なるプロトコルを有する端末間では交信できないために、変換を必要とする端末を交換する場合にはプロトコル制御部ＰＣにおいてプロトコルの変換をして交信できるようにしている。
【０００６】
しかしながら、種々の目的のために多くの端末が開発され、それぞれの目的に最適のプロトコルが使用されるばかりでなく、たとえば緊急事態の発生や、行事案内など社会情勢，経済情勢，災害の発生といったイベントに対応して必要な情報を必要な宛先に届ける必要性が増加しつつあるが、情報交換機１０Ｂは各端末Ｔから指定された宛先に必要なプロトコル変換をし（プロトコルの相違を吸収し）宛先に接続する機能を有するのみであった。
【０００７】
【発明が解決しようとする課題】
多くの端末が開発され、各種のプロトコルを有する端末間におけるプロトコル変換をともなう交信が要求されるのにとどまらず、各種のイベントに対応した最適の情報（またはデータ）が所定の（１つまたは複数の）宛先に簡単に届けられるような装置が無いという未解決の課題が残されていた。
【０００８】
【課題を解決するための手段】
情報交換機に伝送路とプロトコル制御部を介して多くの端末を接続し、プロトコル制御部には、変換用のプロトコルを格納し、固定的なイベント用の固定的データ・プールと随時発生する各種のイベントに対応する対応データ・プールと、両データ・プールの動作条件を記憶するメモリと、その動作条件に従って固定的データ・プールを制御するイベント制御部と、同じく対応データ・プールを伝送路を介してイベント制御端末から制御するためのイベント制御インタフェースと応用交換機能を有する応用交換制御部とを設けた。
【０００９】
固定的なイベントに対する動作条件は設定入力器からメモリに格納し、随時発生する各種のイベントに対する動作条件はイベント制御端末からメモリへ入力するようにした。イベント制御端末には、必要に応じてオペレータがイベント対応の動作条件を入力する。
【００１０】
【作用】
伝送路によって接続された多くの端末から他の端末へ交信するときには、プロトコル制御部においてプロトコル変換が行われ、端末から固定的データ・プールあるいは対応データ・プールにダイヤルしたときには、端末からのデータは一時的に固定的データ・プールあるいは対応データ・プールに格納され、所定の１または複数の宛先にデータを分配して送ることができる。また、さらに応用交換制御部にもダイヤルするならば、１つの着信データあるいはデータ・プールからのデータを所定の複数の宛先に転送したり、現在着信可能な宛先を選択して転送したり、または着信したダイヤルを宛先の認識可能なダイヤル表記に変更して再発信するデータ分配機能を発揮する。
【００１１】
【実施例】
図１には本発明の一実施例の回路構成が示されている。ここにおいて、図１０の構成要素に対応するものについては対応する記号を付してある。
【００１２】
情報交換機１０には、多くの局線あるいは構内伝送路である伝送路Ｌ１〜Ｌｎをプロトコル制御部ＰＣ１〜ＰＣｎで必要なプロトコル変換をしてデータを分配交換するための交換制御部１１がある。さらに、交換制御部１１は固定的なイベント用のデータ・プール１４と随時発生する各種のイベントに対応するデータ・プール１６と各種の応用交換をする応用交換制御部１９とを、各プロトコル制御部ＰＣ１〜ＰＣｎおよび伝送路Ｌ１〜Ｌｎを介して接続された端末Ｔ１〜Ｔｎ（以下、単に端末Ｔと呼ぶ）と同様に交換接続している。
【００１３】
データ・プール１４は予め想定した固定的なイベントに対応するデータを端末Ｔから入力されて一時的にプール（格納）しておく。データ・プール１６は随時発生する各種のイベントに対応するデータを端末Ｔから入力されて一時的に入力されてプール（格納）している。
【００１４】
メモリ１３には、設定入力器２５からデータ・プール１４に固定的なデータをプールするのに必要な動作条件を格納している。さらに、データ・プール１６にイベント制御端末２０からイベント対応のデータをプールするのに必要な動作条件をメモリ１３に格納している。
【００１５】
イベント制御部１２は、端末Ｔからのデータ・プール１４への一時的書き込みや読み出しの制御をメモリ１３の固定的動作条件にもとづいて行っている。イベント制御インタフェース１６は、端末Ｔからのデータ・プール１６への書き込みや読み出しの制御をメモリ１３のイベント対応の動作条件にもとづいて行っている。
【００１６】
応用交換制御部１９は応用交換動作を格納している。たとえば、
１）    ある端末Ｔ１からの着信データを予め登録されている複数の宛先に転送する。
２）    着信データを分配すべき宛先のうち現在着信可能な宛先を選択して転送する。
３）    着信ダイヤルを宛先側で認識できるダイヤル表記に変更して再発行する。
などの応用交換機能動作である。
【００１７】
イベント制御端末２０−１，２０−２は同じ内部構成を有しており、２０−１に代表して、その内部構成を示してあるように、伝送路Ｌ２０（Ｌ２０−１〜Ｌ２０−３を総称してＬ２０という）とのインタフェース２４，イベント制御器２２，メモリ２３を含んでいる。メモリ２３には作成した各種のイベントに対処するためのデータが格納されている。
【００１８】
また、オペレータ入力２９によってオペレータが新たなデータを手動で入力することも、あるいは格納されているデータに対応したイベントを指定するだけで半自動でメモリ２３に格納されているデータを読み出してイベント制御インタフェース１５を介してメモリ１３に格納される。
【００１９】
各端末Ｔからデータ・プール１４および１６に一時的に格納されるイベントに対処するデータは、随時イベント監視条件により参照することができる。
【００２０】
そのイベント監視条件は、
１）  格納されているイベントの個々の名称およびその一覧。
２）    イベントの発生する時期あるいは時間、またはデータを分配交換すべき時期あるいは時間。
３）    各イベントに対応したデータの内容。
４）    伝送路Ｌ１〜Ｌｎ，データ・プール１４，１６，応用交換制御部１９の使用状態。
５）    伝送路Ｌ１〜Ｌｎ，データ・プール１４，１６のデータ速度，プロトコルなどの回線仕様。
６）  イベント制御端末２０におけるオペレータ入力２９の有無および内容。
７）  両データ・プール１４，１６のメモリ空き状態。
８）  各プロトコル制御部ＰＣ１〜ＰＣｎ，データ・プール１４，１６の使用状態と使用実績。
などである。これら個々のイベント監視条件あるいは、いくつかの組合せでイベント監視することができる。
【００２１】
交換制御部１１は各伝送路Ｌ１〜Ｌｎに接続された各端末Ｔ１〜Ｔｎの交換動作や、応用交換制御部１９による交換動作、さらにはデータ・プール１４，１６に一時的に格納されたデータをそのデータと共に宛先を指示するデータがある場合には、その宛先に配布するイベント動作機能を有している。
【００２２】
そのイベント動作の機能をまとめると、
１）    着信データあるいは指定のデータを所定の宛先に転送可能である。
２）    着信データあるいは指定のデータをデータ・プール１４または１６へ転送して格納することができる。
３）    指定回線に指定（呼出し）ダイヤル（着信イベント）のみを発し、イベント名だけを宛先に伝える疑似呼を発することができる。
４）    データ・プール１４，１６と応用交換制御部１９に格納されたデータの編集あるいは抹消を行うことができる。
これらの多くのイベント動作の機能のうちの複数のものの組合せで動作することもできる。
【００２３】
図２および図３にはメモリ１３に格納すべき固定的イベントに対する動作内容と、固定的イベント条件の設定動作の流れを示している。この動作は、多くの場合情報交換機１０のメーカにおいて行われる。
【００２４】
設定入力器２５と情報交換機１０に含まれたメモリ１３は動作を開始しており、最初にデータ・プール１４に一時的にプールされたデータの接続すべき相手（宛先）を設定する（Ｓ１、図２）。設定が完了すると（Ｓ２Ｙ）、宛先に関する設定データの登録作業をし（Ｓ３）、メモリ１３に記憶する（Ｓ４）。つぎにイベント監視条件を設定し（Ｓ５）、イベント動作機能を設定する（Ｓ６）。設定が完了すると（Ｓ７Ｙ）、イベント監視条件およびイベント動作機能のデータ登録が行われ（Ｓ８）、メモリ１３に記憶され（Ｓ９）、固定的イベントの宛先、監視条件および動作機能の設定動作が終る。
【００２５】
図４および図５にはメモリ１３に格納すべき随時発生するイベント対応の動作内容と、イベント対応の条件の設定動作の流れを示している。この動作は、イベント制御端末２０から情報交換機１０に含まれたイベント制御インタフェース１５とメモリ１３に対して行われる。
【００２６】
イベント制御端末２０と情報交換機１０に含まれたイベント制御インタフェース１５およびメモリ１３は動作を開始しており、最初にデータ・プール１６に一時的にプールされたデータの接続すべき相手（宛先）を設定する（Ｓ２１、図４）。設定が完了すると（Ｓ２２Ｙ）、宛先に関する設定データの報告をイベント制御インタフェース１５へして（Ｓ２３）、これを受理したイベント制御インタフェース１５では（Ｓ２４）、受理したデータを格納するために（Ｓ２５）、メモリ１３に記憶する（Ｓ２６）。
【００２７】
つぎにイベント監視条件を設定し（Ｓ２７、図５）、イベント動作機能を設定する（Ｓ２８）。設定が完了すると（Ｓ２９Ｙ）、イベント監視条件およびイベント動作機能のデータ送信が行われ（Ｓ３０）、イベント制御インタフェース１５はそのデータを受理すると（Ｓ２４）、受理したデータを格納するために（Ｓ３２）メモリ１３に記憶して（Ｓ３３）、随時発生するイベント対応の宛先、監視条件および動作機能の設定動作が終る。
【００２８】
図６，図７，図８および図９には図１に示した情報交換機１０の動作の流れが示されている。情報交換機１０は、すでに動作を開始している。伝送路たとえばＬ１に接続された端末Ｔ１からダイヤル信号等による着信があったことを交換制御部１１が検知すると（Ｓ１Ｙ、図６）、プロトコル制御部ＰＣ１は着信したダイヤル信号から宛先データを抽出し（Ｓ５２）、宛先によるデータの選別をする（Ｓ５３）。
【００２９】
すなわち、単純交換（図１０の従来例の交換に同じ）をその着信ダイヤル信号が指示しているときには（Ｓ５３単）、交換制御部１１において、たとえば端末Ｔ２への伝送路Ｌ２に単純に伝送路接続をし（Ｓ５４）、プロトコル交換器ＰＣ１およびＰＣ２において、必要な場合にはプロトコル制御をした通信を行い単純交換動作を終了する（Ｓ５５）。
【００３０】
着信ダイヤル信号が応用交換を指示しているとき（Ｓ５３応）、応用交換制御部１９に登録済みの応用交換動作のうちから、着信ダイヤル信号の指示する交換動作を抽出し（Ｓ５６）、その交換動作が示している宛先、たとえば伝送路ＬｍないしＬｎに伝送路Ｌ１を接続して（Ｓ５７）通信を行い、応用交換動作を終了する。
【００３１】
着信をダイヤル信号によるデータがデータ・プール１４を指定しているときはデータ・プール１４に端末Ｔ１からのデータを一時的に登録し、データ・プール１６を指定しているときにはデータ・プール１６に端末Ｔ１からのデータを一時的に登録する（Ｓ５８）。
【００３２】
データ・プール１４に端末１からのデータを一時的に登録したときには外部制御設定（Ｓ５７、図７）は不要で（Ｓ５９Ｎ）、イベント制御部１２が起動して（Ｓ６０）、メモリ１３からイベント監視条件を読み出し（Ｓ６１）、読み出した監視条件が着信ダイヤルの指示するものに一致しなければ交換作業は不成立となり（Ｓ６２Ｎ）、一致すれば（Ｓ６２Ｙ）、一致したイベント動作機能をメモリ１３から読み出し（Ｓ６３）、読み出したイベント動作に対応する制御動作をイベント制御部１２および必要に応じて交換制御部１１も加わって行い（Ｓ６４）、指定されたイベント動作機能を完了して作業は終了する（Ｓ６５Ｙ）。
【００３３】
データ・プール１６への登録がなされたときには外部制御設定へと進み（Ｓ５９Ｙ）、イベント制御インタフェース１５が起動する（Ｓ６６、図８）。イベント制御端末２０からの手動設定をしない場合は（Ｓ６７Ｎ）、メモリ１３からのイベント監視条件を読み出し（Ｓ６８）、読み出した監視条件が着信ダイヤルの指示するものに一致しなければ交換作業は不成立となる（Ｓ６９Ｎ）。
【００３４】
一致すれば（Ｓ６９Ｙ）、一致したイベント動作機能をメモリ１３から読み出し（Ｓ７０）、読み出したイベント動作に対応する制御動作をイベント制御部１２および必要に応じて交換制御部１１も加わって行い（Ｓ７１）、指定されたイベント動作機能を完了して作業は終了する（Ｓ７２Ｙ）。
【００３５】
イベント制御端末２０における手動設定を必要とするときには（Ｓ６７Ｙ）、イベント制御インタフェース１５からすでに動作を開始しているイベント制御端末２０に対してオペレータによる入力を要求する（Ｓ７３、図９）。この要求を受けたイベント制御端末２０は鳴音および表示によりオペレータによる入力を要求してきたことを知る（Ｓ７４）。オペレータは、オペレータ入力２９により応答してイベント制御インタフェース１５に対して着信した端末Ｔ１が要求している情報が何であるのか着信データから読み出すことを要求する（Ｓ７５）。
【００３６】
そこでイベント制御インタフェース１５は着信データから、要求されている情報を取り出すと（Ｓ７６）、それを要求してきたイベント制御端末２０へ通知する（Ｓ７７）。この通知を受けたイベント制御端末２０のオペレータは、受けた情報を判断し（Ｓ７８）、オペレータ入力２９により入力すべき条件に一致せずオペレータ入力２９からの入力ができない場合は、そこで作業は終了する（Ｓ７９Ｎ）。
【００３７】
入力すべき条件に一致する場合は（Ｓ７９Ｙ）、必要な動作指示をオペレータ入力２９から入力し（Ｓ８０）、それがイベント制御インタフェース１５で受け付けられ（Ｓ８１）、その動作指示によりイベント制御インタフェース１５は動作し（Ｓ８２）、指定動作あるいは必要な交換がなされて終了する。
【００３８】
以上の説明から明らかなように、データ・プール１４には定常的に発生する固定的イベントによる端末からのデータをプールするのに使用され、データ・プール１６は随時発生するイベント対応の端末からのデータをプールするのに使用される。また、メモリ１３に、記憶される固定的動作条件あるいはイベント対応の動作条件をそれぞれ別けて格納する、固定領域とイベント対応領域とを設けてもよい。
【００３９】
【発明の効果】
以上の説明から明らかなように、本発明によるならば、各種のイベントや応用交換に対処してイベントに対する動作条件を随時用意して必要なプロトコル変換をしながら、固定的およびイベント対応のデータ・プールに応用交換機能も加えて端末からのデータを分配可能にして情報交換することができるようになったから、情報交換機に大容量のメモリを設ける必要もなくなり、情報交換機を常に発生するイベントに対応できる状態に保ことができる。そのために、情報交換機の陳腐化が防止され、高い利便性が得られる。したがって本発明の効果は極めて大きい。
【図面の簡単な説明】
【図１】本発明の一実施例を示す回路構成図である。
【図２】図１の回路構成において固定的イベントの動作条件の設定動作の流れを示したフローチャートである。
【図３】図２とともに図１の回路構成において固定的イベントの動作条件の設定動作の流れを示したフローチャートである。
【図４】図１の回路構成において随時発生するイベント対応のイベント動作条件の設定動作の流れを示したフローチャートである。
【図５】図４とともに図１の回路構成において随時発生するイベント対応のイベント動作条件の設定動作の流れを示したフローチャートである。
【図６】図１の回路構成における交換動作の流れを示したフローチャートである。
【図７】図６とともに図１の回路構成における交換動作の流れを示したフローチャートである。
【図８】図６および図７とともに図１の回路構成における交換動作の流れを示したフローチャートである。
【図９】図６，図７および図８とともに図１の回路構成における交換動作の流れを示したフローチャートである。
【図１０】従来例を示す回路構成図である。
【符号の説明】
１０，１０Ｂ  情報交換機
１１，１１Ｂ  交換制御部
１２  イベント制御部
１３  メモリ
１４  データ・プール
１５    イベント制御インタフース
１６  データ・プール
１９  応用交換制御部
２０−１，２０−２  イベント制御端末
２２  イベント制御器
２３  メモリ
２４  インタフェース
２９  オペレータ入力
Ｌ１〜Ｌｎ，Ｌ２０−１，Ｌ２０−２  伝送路
ＰＣ１〜ＰＣｎ  プロトコル制御部
Ｔ１〜Ｔｎ  端末
【図１】
0003567315.tif 000002
【図２】
0003567315.tif 000003
【図３】
0003567315.tif 000004
【図４】
0003567315.tif 000005
【図５】
0003567315.tif 000006
【図６】
0003567315.tif 000007
【図７】
0003567315.tif 000008
【図８】
0003567315.tif 000009
【図９】
0003567315.tif 000010
【図１０】
0003567315.tif 000011